(57)【要約】  【課題】  薬の飲み違いや飲み忘れを防止する服用薬整理棚を安価に提供する。  【解決手段】  透明プラスチック製の容器１０を複数の縦桟１１と複数の横桟１２で区切って多数の小部屋２１，２１・・よりなる服用薬分別収納部２を形成する。この服用薬分別収納部２の上には曜日表示部３、横方向にスライド可能に取り付けられた日付表示用テープ５、月表示部７が取り付けられている。月表示部７で月を特定し、日付表示用テープ５をつまみ５２を回動して、その週の日曜日に当たる日付を検索してセットする。このようにしてセットされた日付及び服用時期表示部６で規定される時期に対応した小部屋に薬を分別収納させる。指定された日にちの指定された時期が来ればそれに対応した小部屋の薬を服用する。  【選択面】 図１【実用新案登録請求の範囲】
【請求項１】
縦桟と横桟によって区切られた多数の小部屋を有する方形の容器、該容器の行方向の小部屋に曜日を割り当て表示するための曜日表示部、該曜日表示部に沿って横方向にスライド可能に取り付けられた日付表示用テープ、上記容器の任意箇所に固定され選択的に月を表示するための月表示部および上記容器の列方向の小部屋に薬の服用時期を割り当て表示するための服用時期表示部とを備えたことを特徴とする服用薬整理棚。
【請求項２】
上記日付表示用テープはその表面に日付を示す一連番号が表示され、その両端は上記容器に回転自在に設けた回転軸に捲回され、該回転軸を回動させることにより、所定の日付を上記曜日表示部の曜日に重ねて表示できるように構成されたことを特徴とする請求項１記載の服用薬整理棚。
【請求項３】
上記容器には該容器を壁等に懸垂保持するための係止部を設けたことを特徴とする請求項１または請求項２記載の服用薬整理棚。
【考案の詳細な説明】
【技術分野】
【０００１】
本考案は、常用する薬を区分け収容する整理棚に関し、特に、薬を服用する日時に合わせて整理保管し、飲み忘れの防止を図るための服用薬整理棚に関する。
【背景技術】
【０００２】
処方薬を薬局から購入した際、薬袋には薬の内容や用法が記載されている。この薬袋の用法に従って、決められた時間に決められた薬を飲むようにしている。ところが常用する薬は歳ともに増え、また薬によって服用する時間が異なっているため、それをいちいち記憶しておくことは大変で、時には服用するのを忘れてしまうこともままある。
【考案の開示】
【考案が解決しようとする課題】
【０００３】
本考案は予め１週間分の服用する薬を服用する日時を特定した棚の小部屋に分別収納することにより、薬の飲み間違いや飲み忘れを防止できる服用薬整理棚を提供することを目的としている。
【０００４】
本考案は予め１週間分の服用する薬を服用する日時を特定した棚の小部屋に分別収納するとともに、日付や曜日を表示することにより、カレンダーとしても使用できる服用薬整理棚を提供することを他の目的としている。
【課題を解決するための手段】
【０００５】
本考案の服用薬整理棚は、縦桟と横桟によって区切られた多数の小部屋を有する方形の容器、該容器の行方向の小部屋に曜日を割り当て表示するための曜日表示部、該曜日表示部に沿って横方向にスライド可能に取り付けられた日付表示用テープ、上記容器の任意箇所に固定され選択的に月を表示するための月表示部および上記容器の列方向の小部屋に薬の服用時期を割り当て表示するための服用時期表示部とを備えたことを特徴としている。
【０００６】
上記日付表示用テープは、その表面に日付を示す一連番号が表示され、その両端は上記容器に回転自在に設けた回転軸に捲回され、該回転軸を手動で回動させることにより、所定の日付を上記曜日表示部の曜日に重ねて表示できるように構成されている。
【０００７】
さらに、上記容器には該容器を壁等に懸垂保持するための係止部が設けられている。また、上記容器を透明プラスチックで構成すれば、整理棚に収容された薬が外部から確認できる利点がある。
【考案の効果】
【０００８】
（１）本考案の服用薬整理棚には１週間分の薬を服用する日時が特定された小部屋が設けられているので、予めその小部屋に１週間分の薬を分別収納することにより、飲み間違いや飲み忘れを防止できる。
（２）本考案の服用薬整理棚を透明プラスチックで構成すれば、整理棚に収容された薬が外部から確認できるので、薬の有無によって、薬を飲んだか否かを確認できる。
【０００９】
（３）本考案の服用薬整理棚は壁掛け式となっているので、部屋にいるときはいつでも目視することが出来、薬の飲み忘れ防止に有効である。
（４）本考案の服用薬整理棚には、曜日と共に月、日付が表示されるので、カレンダーとしても利用できる。
【考案を実施するための最良の形態】
【００１０】
本考案の最良の実施形態を次の実施例によって説明する。
【実施例１】
【００１１】
図１は本考案の服用薬整理棚の実施例を示すもので、この服用薬整理棚１は、例えば透明プラスチック製の容器１０を複数の縦桟１１と複数の横桟１２で区切って形成した多数の小部屋２１，２１・・よりなる服用薬分別収納部２を備えている。３は曜日表示部であって、図２にその詳細が示されているような七曜表を容器１０の上部に固定して表示する。
【００１２】
４は月表示部であって、図８に示すように、止めピン４１を軸として回転する可動円盤４２と切欠部４４を有する固定円盤４３より構成され、容器１０の任意箇所にセットできる。この実施例では係止部７の中央にセットされている。可動円盤４２には１月から１２月の数字が記載され、可動円盤４２を回動して所望の月の数字が固定円盤４３の切欠部４４に位置するようにする。可動円盤４２の回動操作を容易にするためにつまみ４５が設けられている。
【００１３】
５は曜日表示部３に沿って横方向にスライド可能に取り付けられた日付表示用テープであって、日付を示す数字が１枚の紙などの可撓性テープに連続的に印刷されている。図３および図４に示すように、日付表示用テープ５の両端は２つの巻取軸５１，５１に巻きつけられている。巻取軸５１は容器１０の上面に設けた軸受２２を貫通して最上部の横桟１２に設けた軸受２３に軸支されている。図中５２はつまみ、５３はナット、５４はワッシャである。
【００１４】
巻取軸５１に一端を固定された日付表示用テープ５は容器１０の上部前面に設けられた挿通孔２４を通って容器１０の前面に出た後、再び他の挿通孔２４から容器１０の内部に入り、他の巻取軸５１にその他端が固定されて巻き取られている。
【００１５】
日付表示用テープ５は図７に示すように、大の月、小の月、閏年の月、平の月の４種類のテープから構成されている。
【００１６】
七曜表に合わせて月の変わり目を示すためには、大の月、小の月、閏年の月、平の月についてそれぞれ前後の月、即ち２ケ月分の数字を記載したテープが必要になる。そして、その４種類のテープを繋いで１本のテープとしたものを巻取軸５１，５１に巻き取って使用する。例えば、７月１日が木曜日の場合は、前月の６月は小の月であるので、小の月のテープの２７日が日曜日になるようにセットすればよい。１週間経過すれば、４日が日曜になるようにテープを巻き上げる。以下同様にして１週間ごとにテープを巻き上げてその週の日付と七曜表の曜日が一致するようにする。
【００１７】
この方法によれば４つの月の種類ごとに２か月分のテープを用意しなければならないのでテープが非常に長くなり、各月の種類を見つけるのに手間がかかる。
【００１８】
そこで、１週間の中で各月の変わり目が出てくる可能性のある日にちを拾い出してみると次のようになる。
大の月の場合：２６日から翌月の６日迄。
小の月の場合：２５日から翌月の６日迄。
閏年の２月の場合：２４日から翌月の６日迄。
平の月の２月の場合：２３日から翌月の６日迄。
したがって、変わり目を表示するための日付テープ（以下これを「変わり目日付帯テープ」と称す）は、大の月の変わり目日付帯テープ５６、小の月の変わり目日付帯テープ５７、閏年の変わり目日付帯テープ５８、平の月の変わり目日付帯テープ５９の４種類のテープが必要になる。この４種類の変わり目日付帯テープがあれば、全ての変わり目の日付を曜日表示部３の七曜表に合わせて表示することができることになる。
【００１９】
図７に示すように、７日から３１日迄のテープは上記４種類の変わり目日付帯テープの後ろにそれぞれ付けても良いが、さらにテープの長さを節約したい場合は、例えば、大の月の変わり目日付帯テープ５６の後ろにのみ７日から３１日迄のテープを付け、その他の変わり目日付帯テープの後ろの７日から３１日迄のテープを削減しても実用上は差し支えない。
【００２０】
図１において、６は服用時期表示部であって、各行の任意の箇所に服用時期を、例えば、「あさ」、「ひる」、「ばん」、「ねる時」のように表示したシールを貼って、各行の服用時期を表示する。
【００２１】
７はこの服用薬整理棚１を壁等に懸垂固定するための係止部であり、例えば図１のように壁に釘で止めるための係止孔７１，７２を備えている。
【００２２】
８は薬袋備蓄ポケットで、未使用の薬を入れた薬袋を収納するところである。
【００２３】
服用薬分別収納部２には上述のように縦桟１１と横桟１２で区切られた多数の小部屋２１が存在する。各小部屋２１には図５、図６に示すように、扉が付いている。図５の扉２５は底板が２６が一体に取り付けられていて、図５ａに示すように、扉２５をα方向に開けると中に収納されていた薬１８が手前に転がり出て取りやすくなっている。扉２５の構造は拡大図５ｂに示すように扉２５と横桟１２との間を接着テープ３１で接合しているので、扉２５の上に指をかけ手前に引けば扉２５を開くことが出来る。
【００２４】
図６の扉２７は図６ａに示すように扉２７のみがα方向に開く。そのために、図６ｂに示すように、１枚のプラスチック板の屈曲部に切り込み２９を入れ、そこから折れ曲がるようにする。補強のために屈曲部に接着テープ３２を貼り、底部２８の下を両面テープ３３で横桟１２に貼り付け固定する。図６ｃに示すように扉２７の上に指をかけ手前に引けば扉２７をα方向に開くことが出来る。
【図面の簡単な説明】
【００２５】
【図１】本考案の服用薬整理棚を示す斜視図。
【図２】図１の正面図。
【図３】日付表示可動テープの取付構造を示す図４のＢ−Ｂ線による断面図。
【図４】図３のＡ−Ａ線による断面図。
【図５】小部屋の扉の構造を示す拡大断面図。
【図６】小部屋の扉の他の構造を示す拡大断面図。
【図７】日付表示用可動テープを示す説明図。
【図８】月表示用可動板を示す斜視図。
【符号の説明】
【００２６】
１   服用薬整理棚
２   服用薬分別収納部
３   曜日表示部
４  月表示部
５  日付表示用テープ
６  服用時期表示部
【図１】
0003106848.tif 000002
【図２】
0003106848.tif 000003
【図３】
0003106848.tif 000004
【図４】
0003106848.tif 000005
【図５】
0003106848.tif 000006
【図６】
0003106848.tif 000007
【図７】
0003106848.tif 000008
【図８】
0003106848.tif 000009